(57)【要約】【課題】  テレビジョン信号の記録物又は記録予約物をユーザに容易に把握させること。【解決手段】  テレビジョン信号記録装置は、テレビジョン信号を記録可能な記録ユニットを有し、チャンネル及び記録時間を含む、記録された記録物に関する情報を表すメタデータを記憶する。記録物及び記録予約物のグラフィカル表示が生成される。グラフィカル表示において、各記録物を表すグラフィカルオブジェクトは２次元で構成される。グラフィカルオブジェクトは、第１の次元においてチャンネルに基づいて並べられ、第２の次元において記録時間に基づいて並べられる。第２の次元において、グラフィカルオブジェクトは、記録予約されていない時間をグラフィカルに示す切れ目を有する時間軸に沿って配置される。同様の形式で電子番組表が生成される。番組はフィルタリングされて選択され、選択された番組がない時間において切れ目が存在する。【選択図】  図２
2008312205.tif 000002
【特許請求の範囲】
【請求項１】
テレビジョン信号の記録がなされたチャンネル及び前記記録がなされた記録時間を含む、前記記録されたテレビジョン信号の記録物に関する情報を示すメタデータを記憶するように構成されたテレビジョン信号記録装置であって、
前記テレビジョン信号を記録可能な記録部と、
第１の次元において、前記各記録物に関する前記メタデータによって示される前記チャンネルに基づいて並べられ、第２の次元において、前記各記録物に関する前記メタデータによって示される前記記録時間に基づいて並べられた、前記各記録物を表す複数のグラフィカルオブジェクトを有する、２次元で構成された前記記録物のグラフィカル表示を、表示装置上に表示するための信号を生成するように構成された表示信号生成部と
を具備するテレビジョン信号記録装置。
【請求項２】
請求項１に記載のテレビジョン信号記録装置であって、
前記グラフィカルオブジェクトは、前記第２の次元において、前記記録がなされていない時間をグラフィカルに示す切れ目を有する時間軸に沿って並べられる
テレビジョン信号記録装置。
【請求項３】
請求項２に記載のテレビジョン信号記録装置であって、
前記切れ目は、前記各記録物を表すグラフィカルオブジェクト間に配置されたグラフィカル記号によってグラフィカルに示される
テレビジョン信号記録装置。
【請求項４】
テレビジョン信号を記録可能な記録部を有し、且つ、前記テレビジョン信号の記録がなされたチャンネル及び記録がなされた記録時間を含む、前記記録されたテレビジョン信号の記録物に関する情報を示すメタデータを記憶するように構成されたテレビジョン信号記録装置の動作方法であって、
第１の次元において、前記各記録物に関する前記メタデータによって示される前記チャンネルに基づいて並べられ、第２の次元において、前記各記録物に関する前記メタデータによって示される前記記録時間に基づいて並べられた、前記各記録物を表す複数のグラフィカルオブジェクトを有する、２次元で構成された前記記録物のグラフィカル表示を、表示装置上に表示するための信号を生成する
テレビジョン信号記録装置の動作方法。
【請求項５】
請求項４に記載のテレビジョン信号記録装置の動作方法であって、
前記グラフィカルオブジェクトは、前記第２の次元において、前記記録がなされていない時間をグラフィカルに示す切れ目を有する時間軸に沿って並べられる
テレビジョン信号記録装置の動作方法。
【請求項６】
請求項５に記載のテレビジョン信号記録装置の動作方法であって、
前記切れ目は、前記各記録物を表すグラフィカルオブジェクト間に配置されたグラフィカル記号によってグラフィカルに示される
テレビジョン信号記録装置の動作方法。
【請求項７】
テレビジョン信号を記録可能な記録部と、
各時間において記録されるべく予約された記録予約物のリストを保持し、前記記録部を、前記予約された時間において前記テレビジョン信号の記録物を記録するように制御するように構成された記録制御部と、
前記各記録予約物を表し、当該各記録予約物の各予約された時間に基づいて、記録が予約されていない時間をグラフィカルに示す切れ目を有する時間軸に沿って配置された複数のグラフィカルオブジェクトを有する、前記記録予約物のグラフィカル表示を表示装置上に表示するための信号を生成するように構成された表示信号生成部と
を具備するテレビジョン信号記録装置。
【請求項８】
請求項７に記載のテレビジョン信号記録装置であって、
前記切れ目は、前記各記録予約物を表すグラフィカルオブジェクト間に配置されたグラフィカル記号によってグラフィカルに示される
テレビジョン信号記録装置。
【請求項９】
請求項７又は８に記載のテレビジョン信号記録装置であって、
前記テレビジョン信号記録装置は、前記記録がなされた記録時間を含む、前記記録部によって記録された記録物に関する情報を示すメタデータを記憶するように構成され、
前記記録物表示信号生成部は、前記各記録予約物を表し、当該記録予約物の各予約された時間に基づいて、前記記録がなされていない時間をグラフィカルに示す切れ目を有する時間軸に沿って配置されたグラフィカルオブジェクトを有する、前記記録部によって記録された前記記録物のグラフィカル表示を表示装置上に表示するための信号を生成するようにさらに構成される
テレビジョン信号記録装置。
【請求項１０】
請求項７〜９のいずれか１項に記載のテレビジョン信号記録装置であって、
前記記録制御部は、各チャンネルから各時間において記録されるべく予約された記録予約物のリストを保持し、前記記録部を、前記予約されたチャンネルから前記予約された時間において前記記録物を記録するように制御するように構成され、
前記グラフィカルオブジェクトは、前記グラフィカル表示において２次元で構成され、第１の次元において、前記時間軸に沿って並べられ、第２の次元において、前記予約されたチャンネルに基づいて並べられる
テレビジョン信号記録装置。
【請求項１１】
テレビジョン信号を記録可能な記録部を有するテレビジョン信号記録装置の動作方法であって、
各時間において記録されるべく予約された記録予約物のリストを保持し、前記記録部を、前記予約された時間において前記テレビジョン信号の記録物を記録するように制御し、
前記各記録予約物を表し、当該記録予約物の各予約された時間に基づいて、前記記録が予約されていない時間をグラフィカルに示す切れ目を有する時間軸に沿って配置された複数のグラフィカルオブジェクトを有する、前記記録予約物のグラフィカル表示を表示装置上に表示するための信号を生成する
テレビジョン信号記録装置の動作方法。
【請求項１２】
請求項１１に記載のテレビジョン信号記録装置の動作方法であって、
前記切れ目は、前記各記録予約物を表すグラフィカルオブジェクト間に配置されたグラフィカル記号によってグラフィカルに示される
テレビジョン信号記録装置の動作方法。
【請求項１３】
請求項１１又は１２に記載のテレビジョン信号記録装置の動作方法であって、
前記テレビジョン信号記録装置は、前記記録がなされた記録時間を含む、前記記録部によって記録された記録物に関する情報を示すメタデータを記憶するように構成され、
前記テレビジョン信号記録装置の動作方法はさらに、
前記各記録予約物を表し、当該各記録予約物の各予約された時間に基づいて、前記記録が予約されていない時間をグラフィカルに示す切れ目を有する時間軸に沿って配置されたグラフィカルオブジェクトを有する、前記記録部によって記録された記録物のグラフィカル表示を表示装置上に表示するための信号を生成する
テレビジョン信号記録装置の動作方法。
【請求項１４】
請求項１１〜１３のいずれか１項に記載のテレビジョン信号記録装置の動作方法であって、さらに、
各時間において各チャンネルから記録されるべく予約された記録予約物のリストを保持し、前記記録部を、前記予約されたチャンネルから前記予約された時間において前記記録物を記録するように制御し、
前記グラフィカルオブジェクトは、前記グラフィカル表示において２次元で構成され、第１の次元において前記時間軸に沿って並べられ、第２の次元において前記予約されたチャンネルに基づいて並べられる
テレビジョン信号記録装置の動作方法。
【請求項１５】
請求項１〜３又は７〜１０のいずれか１項に記載のテレビジョン信号記録装置であって、
前記テレビジョン信号を受信及び復号可能な受信復号回路をさらに具備する
テレビジョン信号記録装置。
【請求項１６】
請求項１〜３又は７〜１０又は１５のいずれか１項に記載のテレビジョン信号記録装置であって、
表示装置をさらに具備し、
前記記録物表示信号生成部は、前記記録物のグラフィカル表示を表示するための信号を前記表示装置に供給するように構成される
テレビジョン信号記録装置。
【請求項１７】
請求項１〜３、７〜１０、１５〜１６のいずれか１項に記載のテレビジョン信号記録装置であって、
映像信号を出力する映像出力インタフェースをさらに具備し、
前記記録物表示信号生成部は、前記記録物のグラフィカル表示を表示するための信号を前記映像出力インタフェースに供給するように構成される
テレビジョン信号記録装置。
【請求項１８】
テレビジョン信号記録装置により実行可能であり、実行されると、前記テレビジョン信号記録装置に請求項４〜６又は１１〜１４に記載の方法における各ステップを実行させるように構成されたプログラム。
【請求項１９】
請求項１８に記載のプログラムを記憶する記憶媒体。
【請求項２０】
請求項１８に記載のプログラムであって、
放送信号として前記テレビジョン信号記録装置へ送信される
プログラム。
【請求項２１】
複数の異なるチャンネルの放送テレビジョン信号を受信及び復号して、表示装置上に画像を表示するための映像信号を生成可能な受信復号回路と、
前記受信復号回路によって受信された前記放送テレビジョン信号から、放送予定の番組を示すシグナリングデータを抽出するように動作可能であり、且つ、前記放送予定の番組をフィルタリングして所定の基準に合致する番組を選択し、前記選択された番組の放送予定がない時間をグラフィカルに示す切れ目を有する時間軸に沿って配置された、前記選択された番組を表す複数のグラフィカルオブジェクトを有する電子番組表を、前記表示装置上に表示するための信号を生成するように動作可能な電子番組表生成部と
を具備する受信復号装置。
【請求項２２】
請求項２１に記載の受信復号装置であって、
前記切れ目は、前記各選択された番組を表すグラフィカルオブジェクト間に配置されたグラフィカル記号によってグラフィカルに示される
受信復号装置。
【請求項２３】
請求項２１又は２２に記載の受信復号装置であって、
前記グラフィカルオブジェクトは、前記電子番組表において２次元で構成され、第１の次元において前記時間軸に沿って並べられ、第２の次元において、前記選択された番組が記録予約されたチャンネルに基づいて並べられる
受信復号装置。
【請求項２４】
請求項２３に記載の受信復号装置であって、
前記電子番組表は、前記選択された番組が記録予約されていないチャンネルを含まない
受信復号装置。
【請求項２５】
請求項２３又は２４に記載の受信復号装置であって、
前記電子番組表は、前記チャンネルとして、１つ又は複数の所定のチャンネルのセットのみを有する
受信復号装置。
【請求項２６】
請求項２１〜２５のいずれか１項に記載の受信復号装置であって、
前記所定の基準はユーザの入力によって定義される
受信復号装置。
【請求項２７】
請求項２１〜２６のいずれか１項に記載の受信復号装置であって、
前記所定の基準は、前記番組が特定のジャンル又はカテゴリーに属するか否かである
受信復号装置。
【請求項２８】
請求項２１〜２７のいずれか１項に記載の受信復号装置であって、
テレビジョン信号を記録可能な記録部をさらに具備する
受信復号装置。
【請求項２９】
請求項２１〜２８のいずれか１項に記載の受信復号装置であって、
表示装置をさらに具備し、
前記電子番組表生成部は、前記電子番組表を表示するための信号を前記表示装置に供給するように構成される
受信復号装置。
【請求項３０】
請求項２１〜２９のいずれか１項に記載の受信復号装置であって、
映像信号を出力するための映像出力インタフェースをさらに具備し、
前記電子番組表生成部は、前記電子番組表を表示するための信号を前記映像出力インタフェースに供給するように構成される
受信復号装置。
【請求項３１】
複数の異なるチャンネルの放送テレビジョン信号を受信及び復号して、表示装置上に画像を表示するための映像信号を生成可能な受信復号回路を有する受信復号装置の動作方法であって、
前記受信復号回路によって受信された前記放送テレビジョン信号から、放送予定の番組を示すシグナリングデータを抽出し、
前記放送予定の番組をフィルタリングして、所定の基準に合致する番組を選択し、
前記選択された番組の放送予定がない時間をグラフィカルに示す切れ目を有する時間軸に沿って配置された、前記選択された番組を表す複数のグラフィカルオブジェクトを有する電子番組表を前記表示装置上に表示するための信号を生成する
受信復号装置の動作方法。
【請求項３２】
請求項３１に記載の受信復号装置の動作方法であって、
前記切れ目は、各選択された番組を表すグラフィカルオブジェクト間に配置されたグラフィカル記号によってグラフィカルに示される
受信復号装置の動作方法。
【請求項３３】
請求項３１又は３２に記載の受信復号装置の動作方法であって、
前記グラフィカルオブジェクトは、前記電子番組表において２次元で構成され、第１の次元において、前記時間軸に沿って並べられ、第２の次元において、前記番組が記録予約されたチャンネルに基づいて並べられる
受信復号装置の動作方法。
【請求項３４】
請求項３３に記載の受信復号装置の動作方法であって、
前記電子番組表は、前記選択された番組が記録予約されていないチャンネルを含まない
受信復号装置の動作方法。
【請求項３５】
請求項３３又は３４に記載の受信復号装置の動作方法であって、
前記電子番組表は、前記チャンネルとして、１つ又は複数の所定の番組の組のみを有する
受信復号装置の動作方法。
【請求項３６】
請求項３１〜３５に記載の受信復号装置の動作方法であって、
前記所定の基準はユーザの入力によって定義される
受信復号装置の動作方法。
【請求項３７】
請求項３１〜３６のいずれか１項に記載の受信復号装置の動作方法であって、
前記所定の基準は、前記番組が特定のジャンル又はカテゴリーに属するか否かである
受信復号装置の動作方法。
【請求項３８】
請求項３１〜３７のいずれか１項に記載の受信復号装置の動作方法であって、さらに、
前記電子番組表を表示するための信号を前記表示装置に供給する
受信復号装置の動作方法。
【請求項３９】
受信復号装置により実行可能であり、実行されると、前記受信復号装置に請求項３１〜３８のいずれか１項に記載の方法における各ステップを実行させるように構成されたプログラム。
【請求項４０】
請求項３９に記載のプログラムを記憶する記憶媒体。
【請求項４１】
請求項３９に記載のコンピュータプログラムであって、
放送信号として前記受信復号装置へ送信される
プログラム。
【発明の詳細な説明】
【技術分野】
【０００１】
本発明はデジタルテレビジョンに関し、特に、テレビジョン信号を記録可能なテレビジョン信号記録装置と、テレビジョン信号を受信及び復号可能な受信復号装置とに関する。
【背景技術】
【０００２】
特に、本発明の実施形態は、このようなテレビジョン信号記録装置又は受信復号装置のためのユーザインタフェースに関する。従来から、ユーザインタフェースは、テレビジョン信号記録装置の動作をユーザが制御できるようにするために提供されている。典型的には、動作の多数の態様が制御され、特に、テレビジョン信号記録装置の場合には記録自体の制御、受信復号装置の場合はテレビジョン信号の受信及び復号の制御がなされる。
【０００３】
【特許文献１】米国特許出願公開第２００６／００８３４８３号明細書
【特許文献２】国際公開第９８／１２８７２号パンフレット
【特許文献３】特開２００１−１８６４７２号公報
【特許文献４】特開２００３−１１０９８７号公報
【特許文献５】国際公開第０３／０６７５９４号パンフレット
【特許文献６】国際公開第９６／１９７７９号パンフレット
【特許文献７】米国特許出願公開第２００６／００５１０５８号明細書
【特許文献８】国際公開第０２／２５９３６号パンフレット
【発明の開示】
【発明が解決しようとする課題】
【０００４】
直面する課題の１つは、何が記録されたかをユーザが把握できるようにすることである。ハードディスクドライブ等の大容量記憶媒体の採用等、テレビジョン信号記録装置の技術が向上するにつれ、ますます多くの記録物が記録されるようになっている。これにより、テレビジョン信号記憶装置は、多数の記録物を記憶可能となる。しかしながら、通常、ユーザはすべての記録物を把握しているわけではない。記録物は自動的に又は他のユーザによって記録される場合もあれば、単にその存在を忘れられることもある。これは、テレビジョン信号記録装置の利用に根本的な影響を与える。所与の記録物についての把握がない場合、ユーザは視聴を所望したかもしれない記録物を見逃すおそれがある。
【課題を解決するための手段】
【０００５】
本発明の第１の態様は、ユーザインタフェースの態様に関する。
【０００６】
本発明の第１の態様によれば、テレビジョン信号の記録がなされたチャンネル及び前記記録がなされた記録時間を含む、前記記録されたテレビジョン信号の記録物に関する情報を示すメタデータを記憶するように構成されたテレビジョン信号記録装置が提供される。
当該テレビジョン信号記録装置は、記録部と表示信号生成部とを具備する。
記録部は、前記テレビジョン信号を記録可能である。
表示信号生成部は、２次元で構成された前記記録物のグラフィカル表示を、表示装置上に表示するための信号を生成するように構成される。
前記グラフィカル表示は、第１の次元において、前記各記録物に関する前記メタデータによって示される前記チャンネルに基づいて並べられ、第２の次元において、前記各記録物に関する前記メタデータによって示される前記記録時間に基づいて並べられた、前記各記録物を表す複数のグラフィカルオブジェクトを有する。
【０００７】
さらに、本発明の第１の態様によれば、このテレビジョン信号記録装置の、対応する動作方法が提供される。
【０００８】
このようにして、記録物を表すグラフィカル表示が提供される。グラフィカル表示では、各記録物を表すグラフィカルオブジェクトが、記録物のチャンネル及び記録物の記録時間に基づいて２次元で構成される。チャンネル及び記録時間は、記録物に関して記憶されたメタデータから抽出される。
【０００９】
記録物の２次元表現の結果、ユーザは、何の記録がなされ、ひいては何が視聴可能であるかをより正確に把握することができる。記録物は、１つの次元においてはチャンネルによりソートされ、別の次元においては時間によりソートされるため、ユーザはどの記録物が存在するかをより把握することができる。これにより、ユーザは視聴したい記録物を見つけ易くなるため、テレビジョン信号記録装置の動作が向上する。
【００１０】
また、同様に直面する課題は、何の記録物の記録が予約されているかをユーザが把握できるようにすることである。一般的なテレビジョン信号記録装置は、各時刻に記録するべく予約された記録予約物リストを保持し、記録部を、前記記録物を予約された時刻に記録するように制御するように構成された記録制御部を有する。しかしながら、ハードディスクドライブ等の大容量記憶媒体の採用等、テレビジョン信号記録装置の技術が向上するにつれて、ますます多くの記録物が記録されるようになっている。これにより、テレビジョン信号記録装置において、多数の記録予約物を有するリストが作られる。これにより、今度は、ユーザにとって予約を管理することが困難になる。結果として、例えばユーザが所望の番組を記録し損なう等の問題が生じるおそれがある。
【００１１】
本発明の第２の態様は、ユーザインタフェースの態様に関する。
【００１２】
本発明の第２の態様によれば、テレビジョン信号記録装置が提供される。
当該テレビジョン信号記録装置は、記録部と、記録制御部と、表示信号生成部とを具備する。
記録部は、テレビジョン信号を記録可能である。
記録制御部は、各時間において記録するべく予約された記録予約物のリストを保持し、前記記録部を、前記予約された時間において前記テレビジョン信号の記録物を記録するように構成される。
表示信号生成部は、前記記録予約物のグラフィカル表示を表示装置上に表示するための信号を生成するように構成される。
前記グラフィカル表示は、前記各記録予約物を表し、当該各記録予約物の各予約された時間に基づいて、記録が予約されていない時間をグラフィカルに示す切れ目を有する時間軸に沿って配置された複数のグラフィカルオブジェクトを有する。  
【００１３】
さらに、本発明の第２の態様によれば、このテレビジョン信号記録装置の、対応する動作方法が提供される。
【００１４】
このようにして、記録予約物を表すグラフィカル表示が提供される。グラフィカル表示においては、各記録予約物を表すグラフィカルオブジェクトが、時間軸に沿って配置される。記録が予約されていない時刻における切れ目がグラフィカルに示される。切れ目を示すことにより、ユーザは、何の記録が予約されているかをより正確に把握することができる。これは、この表示により、別々の時刻において、グラフィカル表示中のどこで記録が予約されているかを把握することができるからである。これは、例えば、関連したシリーズ物の記録物の予約を表示する際に特に有用であるが、いずれのタイプの記録物に対しても全般的な利益を有する。結果として、ユーザは複数の記録物の記録をより良く管理することができるため、テレビジョン信号記録装置の動作が向上する。
【００１５】
直面する別の課題は、何の番組が放送予定であるかをユーザが把握できるようにすることである。現在では、視聴可能なチャンネル及び番組の数は多数である。原理上は、これはユーザに多くの選択肢を与えるが、実際には、視聴又は記録したいと思うであろう番組にユーザが気付かないことが非常によくある。これは、受信復号装置の利用に根本的な影響を与える。ユーザに放送予定の番組について知らせるために、受信復号装置によって、放送テレビジョン信号の一部として送信されたシグナリングデータから生成された電子番組表が用いられる。このような電子番組表は、典型的には、各チャンネルについて時間軸に沿って配置された、選択された番組を表すグラフィカルオブジェクトを有する。しかしながら、電子番組表の複数のチャンネル上に複数の番組が存在するというだけでも、ユーザが、興味のある番組を識別することは依然として困難となる。
【００１６】
本発明の第３の態様は、ユーザインタフェースの態様に関する。
【００１７】
本発明の第３の態様によれば、受信復号装置が提供される。
当該受信復号装置は、受信復号回路と、電子番組表生成部とを具備する。
受信復号回路は、複数の異なるチャンネルの放送テレビジョン信号を受信及び復号して、表示装置上に画像を表示するための映像信号を生成することができる。
電子番組表生成部は、前記受信復号回路が受信した前記放送テレビジョン信号から、放送予定の番組を示すシグナリングデータを抽出するように動作可能である。また電子番組表生成部は、放送予定の番組をフィルタリングして、所定の基準に合致する番組を選択し、選択された番組の放送予定がない時間をグラフィカルに示す切れ目を有する時間軸に沿って配置された、前記選択された番組を表す複数のグラフィカルオブジェクトを有する電子番組表を前記表示装置上に表示するための信号を生成するように動作可能である。
【００１８】
さらに、本発明の第３の態様によれば、テレビジョン信号記録装置の、対応する動作方法が提供される。
【００１９】
このようにして、電子番組表をフィルタリングすることができる。これにより、何らかの基準、例えばその番組が所定のジャンルに入るか否かに従って、番組を選択できるようになる。表示された電子番組表において、各選択された番組を表すグラフィカルオブジェクトは、時間軸に沿って配置される。番組が選択されていない時間における切れ目は、グラフィカルに示される。切れ目を示すことにより、ユーザは、フィルタリングにおいて用いられた基準に従って選択された番組の性質及び時間をより正確に把握できるようになる。これは、この表示により、電子番組表中のどの番組が別々の時間に利用可能であるかが把握できるようになるからである。これは、関連したシリーズ物の番組を表示する際に特に有用であるが、いずれのタイプの番組に対しても全般的な利益を有する。結果として、ユーザが番組を受信及び／又は記録するために選択し易くなるため、テレビジョン信号記録装置の動作が向上する。
【発明を実施するための最良の形態】
【００２０】
より良い理解を可能にするために、本発明の一実施形態を、非限定的な例として、添付の図面を参照しながらこれより説明する。
【００２１】
図１は、記録装置１を示す。記録装置１は、ＤＶＢ（Digital Video Broadcasting）規格に従って放送テレビジョン信号を受信及び復号可能な受信復号回路２と、復号されたテレビジョン信号を記録可能な記録部３とを有する。復号されたテレビジョン信号は、テレビジョン装置５に供給するために、出力インタフェース４にも供給され、テレビジョン装置５は表示装置６上に画像を表示する。代替の構成として、表示装置６は記録装置１に一体化することもできる。
【００２２】
任意的に、記録装置１は、複数の異なる放送テレビジョン信号を同時に受信及び復号可能な複数の受信復号回路２を有してもよい。
【００２３】
記録部３は、任意のタイプであってよく、内蔵された又は取り外し可能な任意のタイプの記録媒体に記録することが可能である。典型的には、記録部３は、記録装置に内蔵されたハードディスクドライブか、又は、ＤＶＤ等の光記録媒体若しくは光磁気記録媒体への記録用のドライブである。また、半導体メモリ等の代替的な記録媒体を用いてもよい。
【００２４】
受信復号回路２は、ＤＶＢ規格に従って放送テレビジョン信号を受信するように構成される。これらの放送テレビジョン信号の性質をこれより説明する。
【００２５】
ＤＶＢ規格によれば、ユーザが通常「チャンネル」と呼んでいるものは「サービス」として知られている。例えば英国では、ＢＢＣ１が１つのサービスであり、ＢＢＣ２は別のサービスである。また、ＤＶＢ規格によれば、ユーザが通常「番組」と呼んでいるものは「イベント」として知られている。これらは、サービス内で個々の時間帯を占めている。例えば英国では、ニュース番組「ニュースナイト」の一回分の放映が１つのイベントを表し、連続ドラマ「イーストエンダーズ」の一回分の放映は別のイベントを表す。したがって、各サービスは、連続したテレビジョンイベントである。
【００２６】
ＤＶＢ規格によれば、放送テレビジョン信号は、互いに多重化され、無線周波数（ＲＦ）搬送波信号に変調されて、単一のＲＦチャンネルで搬送されるデータストリームパケットを有する。このストリームは、送信チャンネルと対応しているため、場合によってはチャンネルと呼ばれるが、本実施形態では、「チャンネル」という用語に関して、ユーザが一般的に理解しているように、一連のイベント又は番組を総称的に包含するものとして用いるように規定される。
【００２７】
ストリームは、映像信号データのパケット、音声信号データのパケット、及びシグナリングデータのパケットを含む。シグナリングデータの各パケットは、特定のテーブルと関連付けられており、その構成及び内容は、ＥＮ３００  ４６８において規定されるものに従う。
【００２８】
ＩＳＯ／ＩＥＣ１３８１８−１及びＥＮ３００  ４６８において規定されるように、シグナリングデータの各パケットは、音声データ又は画像データのパケットではなくシグナリングデータのパケットであることを示すパケット識別子（Packet identifier；ＰＩＤ）を有する。シグナリングデータはパケットで構成されており、シグナリングデータの各パケットは、特定のテーブルと関連付けられており、その構成及び内容は、ＩＳＯ／ＩＥＣ１３８１８−１及びＥＮ３００  ４６８において規定されているものに従う。各シグナリングデータパケットは、パケットがどのテーブルに属しているかを示すテーブル識別子を有する。各シグナリングデータパケットはまた、「ペイロード」を含む。「ペイロード」は例えば、ネットワーク、サービス及び／又はイベントに関するデータを含む。パケットに記憶されたデータの詳細なアイテムは、パケットがどのテーブルに属しているかによって異なる。データのどのアイテムが特定のテーブルに属するパケットに与えられるかについての詳細は、ＩＳＯ／ＩＥＣ１３８１８−１及びＥＮ３００  ４６８に記載されている。本実施形態の目的のために、シグナリングデータは、ＥＰＧのコンテンツとして用いるために抽出可能なＥＰＧシグナリングデータを有することに留意されたい。ＥＰＧシグナリングデータは、サービス説明テーブル（Service Description Table；ＳＤＴ）とイベント情報テーブル（Event Information Table；ＥＩＴ）とを有する。ＳＤＴは、サービスの名前を含む、送信されているサービスについての情報を与える。ＥＩＴは、各イベントの名前及び時間を含む、各サービスに関するイベントについての情報を与える。
【００２９】
記録装置１の受信復号回路２を、これより詳細に説明する。この例では、放送デジタルテレビジョン信号は、無線周波数（ＲＦ）搬送波で送信される地上波信号である。記録装置１は、コネクタ８を介して、既知の方法で外部アンテナ７に接続される。
【００３０】
受信復号回路２は、アンテナ７によって受信されたＲＦテレビジョン放送信号が供給される受信回路９を有する。受信回路９は、所望の放送信号を抽出するＲＦチューナ１０と、放送信号を復調して単一の放送チャンネルの多重化された信号を抽出する復調部１１を有する。
【００３１】
従来のデジタルテレビジョン放送と同様に、各放送チャンネルは、一般にサービスと呼ばれる、複数の映像ストリーム並びに対応する音声ストリーム及びデータストリームが多重化された信号である多重化信号を搬送する。復調部１１によって抽出された映像ストリームは、デマルチプレクサ１２に供給される。デマルチプレクサ１２は、映像ストリーム中のデータパケットを逆多重化して、１つ又は複数の映像信号、１つ又は複数の音声信号、及び１つ又は複数のシグナリングデータを抽出する。
【００３２】
デマルチプレクサ１２によって抽出された映像信号は、ＭＰＥＧ−２規格に従って映像ストリームを復号するためにデコーダ１３に供給される。デコーダ１３は、非圧縮の映像信号を、受信復号回路２の出力として出力する。
【００３３】
代替案として、受信復号回路２は、記録装置１が有していなくてもよい。この場合、同等の受信復号回路が、セットトップボックス等の別個の装置に実装され、受信され復号されたテレビジョン信号が記録装置１に供給される。
【００３４】
記録装置１は、記録装置１の各構成要素の動作を制御する制御部１４を有する。例えば、制御部１４は、受信復号回路２を、所望のサービスの放送映像信号を選択するように制御し、記録部３の記録動作を、受信復号回路２によって出力されたテレビジョン信号を選択的に記録するように制御する。
【００３５】
制御部１４は、適切なコンピュータプログラムを実行するマイクロプロセッサによって実装される。制御部１４は、制御部１４に対応するＲＡＭ１５及びフラッシュメモリ等の不揮発性メモリ１８と接続される。コンピュータプログラムは、記録部３又は不揮発性メモリ１８に記憶されてもよい。コンピュータプログラムは、記録装置１に予めインストールされてもよいし、放送信号として記録装置１に送信されてもよい。これはテレビジョン受信設備のソフトウェアをアップグレードするための周知の技法である。
【００３６】
記録装置１はまた、リモートコントローラ１７からの信号を受信可能なＩＲ（赤外線）受信部１６を有する。リモートコントローラ１７はユーザによって操作されて、ユーザ入力を記録装置１に供給する。
【００３７】
デコーダ１３は、グラフィック生成部１９を有する。制御部１４は、グラフィック生成部１９を、ユーザインタフェースの一部として画面を表す映像信号を生成するように制御する。ユーザインタフェース画面は、デコーダ１３によって出力される映像信号に重畳されるか又は合成され、重畳または合成された信号がテレビジョン装置５の表示装置６上に表示される。ユーザは、このユーザインタフェース画面に基づいてリモートコントローラ１７を操作する。制御部１４は、リモートコントローラ１７からのユーザ入力に応じて、記録装置１の動作を制御する。
【００３８】
制御部１４は、ユーザインタフェースの一部として、電子番組表（ＥＰＧ）を生成し、表示させる。受信復号回路２によって受信され得る放送テレビジョン信号に対応するＥＰＧのコンテンツは、デマルチプレクサ１２によって出力されたＥＰＧシグナリングデータから導出される。制御部１４は、デマルチプレクサ１２によって出力されたシグナリングデータパケットからこのＥＰＧシグナリングデータを抽出し、そのシグナリングデータを用いてＥＰＧにデータ投入する。したがって、ＥＰＧは、受信復号回路２により受信可能なサービス及びこれらのサービスに含まれるイベントのリストを有する。制御部１４は、ＥＰＧを表すデータをメモリ１５に記憶する。
【００３９】
ＥＰＧを選択する、リモートコントローラ１７からのユーザ入力に応じて、制御部１４は、グラフィック生成部１９を、メモリ１５に記憶されたＥＰＧを一種のユーザインタフェース画面として表す映像信号を生成するように制御する。図３は、表示されるＥＰＧの一例を示す。個々の番組は、矩形のブロック３０によって表されるが、一般的には任意の他のグラフィカルオブジェクトを用いてもよい。ブロックは、番組名を有する。ブロック３０は２次元で構成される。
【００４０】
第１の次元（図３における横方向）において、ブロック３０は、番組の放送が予定される時間に基づいて並べられる。表示の上部に沿ってグラフィカルに示されたスケール３１によって、時間軸が表される。本例では、スケール３１は日付を示し、３０分単位で時刻を示すが、一般に、時間軸は任意の適切な方法で表示することができる。
【００４１】
第２の次元（図３における縦方向）において、ブロック３０は、記録を表すチャンネルに基づいた順序で並べられている。チャンネルは、各チャンネルの名前３３の表示によって識別される。チャンネルは、利用可能なすべてのチャンネルであってもよいし、ユーザがお気に入りのチャンネルとして選択した１つ又は複数のチャンネルのセットであってもよい。
【００４２】
制御部１４の制御により、ユーザはＥＰＧを操作して、個々のサービス及びイベントを選択することができる。制御部１４は、ユーザが記録のために選択したＥＰＧ内のイベントを示すユーザ入力を受け付ける。このようなユーザ入力に応じて、制御部１４は、イベントの時刻において、受信復号回路２にイベントを受信及び復号させ、任意選択で、記録部３にイベントを記録させるように記録装置１の動作を制御する。
【００４３】
制御部１４の制御により、対応するユーザ入力に応じて、ＥＰＧをフィルタリングすることもできる。この場合、ＥＰＧにおける番組はフィルタリングされ、特定の基準に従って選択される。特定の基準としては、任意の適切な基準が適用され得る。１つの考えられる基準は、その番組が所与のジャンル又はカテゴリー、例えば連続ドラマ、ニュース番組、スポーツ番組、ニュース、ドラマ、子供向け番組、映画等に入るか否かである。このようなジャンル情報は、シグナリングデータの一部として番組毎に得られる。別の考えられる基準は、単一のキーワード又はキーワードのセットが存在するか否かである。別の考えられる基準は、ユーザが、適用される基準を、例えば表示されたリストから選択したか否かである。
【００４４】
制御部１４は、グラフィック生成部１９を、フィルタリングされたＥＰＧを表す映像信号を生成するように制御する。この映像信号では、選択された番組だけが示される。
【００４５】
図４は、フィルタリングされたＥＰＧの例を示す。この例では、用いられた基準は、連続ドラマである番組を選択することである。ＥＰＧの形式は、連続ドラマであるとして選択された番組を示すブロック３０だけを図示していることを除き、基本的には図３に示したものと同じである。したがって、番組が連続ドラマでない時間、例えば２日火曜日のＢＢＣ１、２０：００〜２１：００においては、ブロック３０は存在しない。選択された番組が存在しないチャンネルは、表示されない。したがって、図３の最後のチャンネル「Ｆｉｌｍ４」は、連続ドラマを含まない映画チャンネルであるため、図４の例に含まれない。
【００４６】
さらに、スケール３１によって表される時間軸は、すべての表示されたチャンネルにわたって選択された番組がない時間において切れ目を有する。この時間の切れ目は、番組を表すブロック３０間に配置されたグラフィカル記号３２によって表現される。図４の例においては、２日火曜日の２１：００と３日水曜日の２０：００との間、及び３日水曜日の２１：００と４日木曜日の１９：３０との間に切れ目がある。この例では、グラフィカル記号３２はそれぞれ、３つの点の列であるが、一般的には、グラフィカル記号３２は、切れ目を認識可能な任意の適切な形をとることができる。
【００４７】
表示されたＥＰＧの特定の形式は、ユーザが選択された番組の性質を把握するのに役立つ。記録物の２次元表現により、何の番組が選択されたかをユーザがより正確に把握できるようになる。特に、チャンネル及び記録時間がユーザにとって即座に明らかとなることで、番組の性質をユーザがより迅速且つより正確に理解できるようになる。また、時間の切れ目を表示することにより、特に番組が関連するシリーズ物の記録物である場合に、選択された番組の性質をユーザが認識し易くなる。
【００４８】
ユーザインタフェースの別の部分として、制御部１４は、将来記録が予約されている記録物の記録物リストと、既に記録した記録物の記録物リストを保持する。記録物リストを表すデータは、メモリ１５及び／又は記録部３に記憶される。データは、記録物リスト中のすべての記録物を識別する。記録物は、例えばＥＰＧから生成された場合、典型的には個々のイベント（番組）であるが、一般的には、記録物は１つのイベント又は複数のイベントの部分を包含し得る。
【００４９】
記録物リストを表すデータは、各記録物に関連するメタデータも含む。メタデータは、記録物に関する様々なタイプの情報を有する。これらの情報は以下を含むが、それらに限定されない。メタデータは、記録物が記録予約されている、又は記録されたサービス（チャンネル）を表す。メタデータはまた、記録が予約されている記録予約時間、又は記録がなされた記録時間を、例えば記録の開始時刻及び終了時刻を示すことによって表す。
【００５０】
制御部１４は、記録装置１を、記録予約された記録物の記録物リストに従って記録を行うように制御する。具体的には、制御部１４は、メタデータによって指定された記録時間において、受信復号回路２に、メタデータによって指定されたサービス（チャンネル）を受信及び復号させ、記録部３に、受信復号回路２から出力されたテレビジョン信号を記録させる。
【００５１】
制御部１４は、記録物リストの表示を選択するリモートコントローラ１７からのユーザ入力に応じて、グラフィック生成部１９を、ＥＰＧと同様の方法で、一種のユーザインタフェース画面として、記憶されたデータから記録物リストを表す映像信号を生成するように制御する。制御部１４により、ユーザは記録物リストを操作して、記録装置１の制御のためにユーザ入力を行うことができるようになる。制御部１４は、記録するべく予約された番組の記録物リストが表示されると、変更を示すユーザ入力を受け、それに応じて記録物リストを変更する。同様に、制御部１４は、既に記録された記録物の記録物リストが表示されると、個々の記録物を選択するユーザ入力を受け、それに応じて、選択された記録物を記録部３から再生するように記録装置１の動作を制御する。
【００５２】
表示される記録物リストの形式を、図２を参照してこれより説明する。図２は、記録装置１が、複数のサービス（チャンネル）を同時に受信及び復号可能にする複数の受信復号回路を有する場合の、表示された記録物リストの一例を示す。図２に示す記録物リストは、将来記録するべく予約された記録物のリストか、又は既に記録された記録物のリストであり得る。
【００５３】
記録物リストは、グラフィカルに示される。個々の記録物は、矩形のブロック２０によって表されるが、一般的には、任意の他のグラフィカルオブジェクトを用いることができる。ブロックは、記録物名を有する。この名前は、例えばＥＰＧから取得された、その記録物に含まれる番組の名称であり得る。ブロック２０は、２次元で構成される。
【００５４】
第１の次元（図２における横方向）において、ブロック２０は、当該ブロック２０が表す記録物の記録時間に基づいて並べられる。表示の上部に沿ってグラフィカルに示されたスケール２１によって、時間軸が表される。本例では、スケール２１は、日付を示し、また３０分単位で時間を示すが、一般的には、時間軸は任意の適切な方法で表示され得る。
【００５５】
さらに、スケール２１によって表される時間軸は切れ目を有する。時間の切れ目は、記録物を表すブロック２０間に配置されたグラフィカル記号２２によって表される。したがって、切れ目は、記録物リストにおいて記録がない時間において存在する。図２の例では、２日火曜日の２１：００と５日金曜日の２０：００との間、及び５日金曜日の２０：３０と８日月曜日の１９：３０との間に切れ目がある。この例では、グラフィカル記号２２はそれぞれ、３つの点の列であるが、一般的にはグラフィカル記号２２は、切れ目を識別可能な任意の適切な形であり得る。
【００５６】
第２の次元（図２における縦方向）において、ブロック２０は、当該ブロック２０が表す記録物のチャンネルに基づいて並べられる。チャンネルは、各チャンネルの名称２３の表示によって識別される。
【００５７】
制御部１４は、表示のための映像信号を生成するとき、個々の番組に関して記憶されたメタデータから記録時間及びチャンネルを取得し、そのメタデータに基づいて、適切な位置にブロック２０を生成する。
【００５８】
表示された記録物リストの特定の形式により、ユーザは記録物リストに含まれる記録物の性質を理解し易くなる。記録物の２次元表現により、何が記録されたか又は記録予約されたかをユーザがより正確に把握できるようになる。具体的には、チャンネル及び記録時間がユーザに対して即座に明らかになることで、ユーザは記録物の性質をより迅速且つより正確に理解できるようになる。時間の切れ目の表示も、ユーザが記録の性質を理解するのに役立つ。例えば、時間の切れ目の表示は関連したシリーズ物の記録物の認識に役立つ。例えば図２では、ユーザは、「ＢＢＣ１」とラベリングされたチャンネルの各記録物が、同じ番組（イベント）が複数回連続したものであると容易に理解することができる。
【００５９】
既に記録された記録物の記録物リストの場合、記録装置１はハードディスクドライブ等の大容量の記録部３を用いるため、多数の記録を行うことができるが、ユーザはそれらの記録物を完全に把握できない可能性があるため、ユーザが所望するかもしれない番組を識別できないという危険性がある。しかし、上記利点により、ユーザは再生すべき番組をより良く識別できるため、記録装置１の動作が改善される。
【００６０】
記録予約された記録の記録リストの場合、上記利点により、ユーザは複数の記録をより良く管理することができるため、記録装置１の動作が改善される。記録装置１はハードディスクドライブ等の大容量の記録部３を用いるため、多数の記録物を記録することができ、それらの記録物の予約を管理できることにより、記録装置１の有用性が改善される。
【００６１】
記録装置１はＤＶＢ規格に従った信号を用いるが、本発明の実施形態は、ＡＲＩＢ（Association of Radio Industries and Broadcast）規格（例えば日本において）、又はＡＴＳＣ（Advanced Television Systems Committee）規格（例えば米国において）等の代替的な規格にも等しく適用することができる。
【００６２】
記録装置１は、地上波無線周波数テレビジョン放送信号を受信するように構成されているが、任意のタイプの放送テレビジョン信号を受信するように変更されてもよい。記録装置１は、衛星放送信号を受信してもよい。記録装置１は、一般にケーブルＴＶと呼ばれる、ケーブルを介して伝送されるテレビジョン信号を受信してもよい。この場合、記録装置１は、外部アンテナ３への接続がケーブルへの接続に替わっていることを除いて、基本的には図１に示したものと同じ構造を有する。別の代替案は、ネットワークを介して伝送されるテレビジョン信号である。ネットワークは、インターネット若しくはＬＡＮ等の有線ネットワークであってもよく、又は無線ネットワークであってもよい。例えば、インターネットを介した伝送の場合、テレビジョン信号はＩＰＴＶ（Internet Protocol Television：インターネットプロトコルテレビジョン）であり得る。この場合、記録装置１は、アンテナ７及び受信回路９が、データネットワークからデータを受信して映像ストリームを抽出するように構成されたネットワークインタフェースに替わっていることを除いて、基本的には図１に示したものと同じ構造を有する。
【図面の簡単な説明】
【００６３】
【図１】本発明の一実施形態に係る記録装置を示す図である。
【図２】図１の記録装置によって生成された、表示された記録物リストを示す図である。
【図３】本発明の一実施形態において、表示された電子番組表を示す図である。
【図４】本発明の一実施形態において、フィルタリングされて表示された電子番組表を示す図である。
【図１】
2008312205.tif 000003
【図２】
2008312205.tif 000004
【図３】
2008312205.tif 000005
【図４】
2008312205.tif 000006